(57)【要約】【課題】  本発明は、斜面体の構造を持った収納箱に複数個のトイレットペーパーを収納することを可能とし、収納箱の斜面を利用してトイレットペーパーを取り出すことを可能とし、その収納箱の下に本棚と引き出しを取り付けていて、なおかつ本体を車で移動させることが可能な多機能を併せ持ったトイレットペーパー収納器を提供する。【解決手段】  上部に斜面体の構造を持ったトイレットペーパーの収納箱（１）、トイレットペーパーの収納箱（２）を設けて、トイレットペーパーの収納箱（１）、トイレットペーパーの収納箱（２）の下に本棚（３）を設け、さらにその本棚（３）の下に引き出し（４）を設けて、本体の底面の四隅に移動をさせることが可能な車（５）を４個取り付けた多機能を併せ持ったことを特徴とする多機能型トイレットペーパー収納器。【選択図】図１
2011056227.tif 000002
【特許請求の範囲】
【請求項１】
上部に斜面体の構造を持ったトイレットペーパーの収納箱（１）、トイレットペーパーの収納箱（２）を設けて、トイレットペーパーの収納箱（１）、トイレットペーパーの収納箱（２）の下に本棚（３）を設け、さらにその本棚（３）の下に引き出し（４）を設けて、本体の底面の四隅に移動をさせることが可能な車（５）を４個取り付けた多機能を併せ持ったことを特徴とする多機能型トイレットペーパー収納器。
【発明の詳細な説明】
【技術分野】
【０００１】  本発明は、斜面体の構造を持った収納箱に複数個のトイレットペーパーを収納することが可能である。
収納箱の斜面を利用してトイレットペーパーを取り出すことが可能である。
その収納箱の下に本棚と引き出しを取り付ける。
なおかつ、本体を車（キャスター）で移動させることが可能な多機能を併せ持った多機能型トイレットペーパー収納器に関するものである。
【背景技術】
【０００２】  従来、トイレットペーパーの収納には、トイレットペーパーホルダーやトイレラック、トイレットペーパーストックなどがある。
いずれも、トイレットペーパーをたて形に収納する構造しか持っていないので、トイレットペーパーの収納と取り出しの機能しか持っていなかった。
【発明の概要】
【発明が解決しようとする課題】
【０００３】  そのために、次のような問題点がある。
（イ）トイレットペーパーの収納箱をたて形の構造をしたもののみに使用しているのでトイレットペーパーの収納と取り出しの機能しか持たすことができない。
（ロ）自宅や事務所のトイレの中に本人が入って用をたす場合、用をたす時間を利用して、新聞や雑誌、本などを読む時間に充当することが可能であるにもかかわらず、トイレットペーパーの収納箱が従来から存在するたて形の構造をしただけのものであると、多機能を持たすことができず、時間のロスや知識の獲得にとってマイナスとなる。
（ハ）時は金なり、のことわざにもある通り、トイレのなかに入ってさえも勉強をしていたい、という人にとっては、トイレ内の時間を効率よく利用することができず、時間がもったいない。
本発明は、以上のような欠点をなくして、人生を有意義に送ることができるようにするためになされたものである。
【課題を解決するための手段】
【０００４】  本発明を構成する本体の右上から左下へと斜めに傾斜した斜面体の構造を持ったトイレットペーパーの収納箱（１）を設ける。
左上から右下へと斜めに傾斜した斜面体の構造も可能のトイレットペーパーの収納箱（２）を設ける。
トイレットペーパーの収納箱（１）、トイレットペーパーの収納箱（２）の下に新聞や雑誌、本などが収納できる本棚（３）を設ける。
さらに、その本棚（３）の下に引き出し（４）を設ける。
本体の底面の四隅に移動をさせることが可能な車（５）を４個取り付けた多機能を併せ持ったトイレットペーパーの収納器である。
以上のように構成された多機能型トイレットペーパー収納器。
【発明の効果】
【０００５】（イ）トイレットペーパーを収納することができる収納箱が斜めに傾斜した斜面体の構造を持っているので、トイレットペーパーを収納できる。
そして、トイレットペーパーを取り出すときには、収納箱にトイレットペーパーが斜め方向に収納されているので、収納箱の高い位置から低い位置へと重力によってトイレットペーパーが自然にころがり落ちてくるのを自然の力を利用して手軽にトイレットペーパーを取り出すことができる。
（ロ）トイレットペーパーを収納することができる収納箱を斜めに傾斜した斜面体の構造にすることによって、その下に物品を収納することが可能な適当な大きさをした空間ができるので、その空間を活用して新聞や雑誌、本などが収納できる本棚を設けることができる。
（ハ）さらにその本棚の下に、たとえば、女性用生理用品の収納などに使うことができる引き出しを設けることができる。
（ニ）上記（イ）、（ロ）、（ハ）を組み合わせた本体の底面の四隅に、移動をさせることが可能な車を４個取り付けると、トイレットペーパーの収納箱、本棚、引き出し、本体を移動することが可能であるなどの多機能を持ったトイレットペーパー収納器が完成する。
従って、本発明品を利用すると、（Ａ）トイレットペーパーを複数個収納することが可能となり、かつ必要時にはトイレットペーパーを取り出すことができる。
（Ｂ）本発明には、本棚が設けられているので、トイレの中で用をたしながら、新聞や雑誌、本などをくつろぎながら読むことができる。
また、受験生や国家資格を取得したい人たちにとって、本発明がトイレの中に設置されていると、トイレの中は誰にも邪魔されることがない静かな勉強部屋として活用することができるので、時間を惜しんで勉強をしたい人たちにとっては、本棚を利用して受験勉強の時間を有意義に活用することができる。
（Ｃ）本発明には、引き出しが設けられているので、必要な物を引き出しに入れて保管することができる。
（Ｄ）本発明には、本体の底面に４個の車を取り付けているのでトイレの掃除をするときなど、掃除の邪魔にならないようにトイレの部屋から外へ出すなどの移動に使うことができる。
（Ｅ）本発明をトイレの部屋の中に設置することによって、上記（Ａ）、（Ｂ）、（Ｃ）、（Ｄ）の効果を体験することができる。
【図面の簡単な説明】
【０００６】
【図１】  本発明の斜視図である。
【図２】  本発明の斜視図である。
【図３】  本発明のトイレットペーペーの収納箱（１）のうち、トイレットペーパーの出し入れ口（１１）を開いたところの斜視図である。
【発明を実施するための形態】
【０００７】  以下、本発明の形態について説明する。
斜面体の構造を持ったトイレットペーパーの収納箱（１）、トイレットペーパーの収納箱（２）を設ける。
トイレットペーパーの収納箱（１）、トイレットペーパーの収納箱（２）の下に本棚（３）を設ける。
本棚（３）の背面（６）は、通り抜けができない壁になってふさがっている。
このため本棚（３）に、新聞や雑誌本などを置いても本棚（３）の背面（６）がふさがっているので、本などが背面（６）より外へ落ちてしまうことはなく、本などが本棚（３）にきちんと納まる。
さらに本棚（３）の下に引き出し（４）を設ける。
本体の底面の四隅に移動をさせることが可能な車（５）を４個取り付ける。
また、斜面体の構造を持ったトイレットペーパーの収納箱（１）、トイレットペーパーの収納箱（２）にトイレットペーパー（１０）を出し入れするときには、トイレットペーパーを出し入れすることが可能な開閉することができる扉（７）を設ける。
そのトイレットペーパーを出し入れすることが可能な開閉することができる扉（７）には、つまみ（８）とちょうつがい（９）を取り付ける。
トイレットペーパーを出し入れすることが可能な開閉することができる扉（７）を開くときには、つまみ（８）を指でつまんでトイレットペーパーを出し入れすることが可能な開閉することができる扉（７）を開くと、トイレットペーパー（１０）を出し入れすることができるトイレットペーパーの出し入れ口（１１）が表れるので、そのトイレットペーパーの出し入れ口（１１）にトイレットペーパー（１０）を出し入れすればよい。
その作業が終わってトイレットペーパーを出し入れすることが可能な開閉することができる扉（７）を閉じるとトイレットペーパーの収納箱（１）、トイレットペーパーの収納箱（２）となる。
本発明は以上のような構造である。
【符号の説明】
【０００８】１  トイレットペーパーの収納箱
２  トイレットペーパーの収納箱
３  本棚
４  引き出し
５  車（キャスター）
６  本棚の背面
７  トイレットペーパーを出し入れすることが可能な開閉することができる扉
８  つまみ
９  ちょうつがい
１０  トイレットペーパー
１１  トイレットペーパーの出し入れ口
【図１】
2011056227.tif 000003
【図２】
2011056227.tif 000004
【図３】
2011056227.tif 000005